(57)【要約】【課題】移動通信端末に保存されたユーザデータを通信網を介してバックアップ装置にバックアップする移動通信端末内データのバックアップシステムにおいて、バックアップする際のデータ通信量を適正化するとともに、バックアップするデータの選択性を改善することによりユーザの利便性を向上する。【解決手段】移動通信端末からユーザデータのバックアップデータを送信する際に、ユーザにより設定されたデータ選択条件に基づいて、全ユーザデータの中からバックアップデータとして送信するユーザデータを選択するデータ選択ステップを有することを特徴とする。さらに、データ選択条件として、複数のデータ選択条件候補の中から任意の一つ以上を選択することを特徴とする。【選択図】    図１
2006133955.tif 000002
【特許請求の範囲】
【請求項１】
移動通信端末であって、
複数のデータ選択条件候補の中から、任意の１つ以上を選択してデータ選択条件として設定するデータ選択条件設定手段と、
前記移動通信端末内に保存されたユーザデータの中から、前記データ選択条件設定手段によって設定されたデータ選択条件に基づいてユーザデータを選択するデータ選択手段と、
前記データ選択手段によって選択されたユーザデータをバックアップデータとして送信するバックアップデータ送信手段とを備えることを特徴とする移動通信端末。
【請求項２】
前記複数のデータ選択条件候補は、前記移動通信端末のユーザによる任意のユーザデータファイルの指定に基づく条件、各ユーザデータの容量に基づく条件、各ユーザデータの種別に基づく条件、各ユーザデータの秘匿性に基づく条件、前記移動通信端末の位置に基づく条件のうち少なくともいずれかを含むことを特徴とする請求項１記載の移動通信端末。
【請求項３】
移動通信端末であって、
前記移動通信端末内に保存されたユーザデータの中から、複数のデータ選択条件に基づいてユーザデータを選択するデータ選択手段と、
前記データ選択手段によって選択されたユーザデータをバックアップデータとして送信するバックアップデータ送信手段とを備えることを特徴とする移動通信端末。
【請求項４】
移動通信端末であって、
前記移動通信端末内に保存されたユーザデータの中から、各ユーザデータの容量に基づくデータ選択条件に基づいてユーザデータを選択するデータ選択手段と、
前記データ選択手段によって選択されたユーザデータをバックアップデータとして送信するバックアップデータ送信手段とを備えることを特徴とする移動通信端末。
【請求項５】
移動通信端末であって、
前記移動通信端末内に保存されたユーザデータの中から、各ユーザデータの秘匿性に基づくデータ選択条件に基づいてユーザデータを選択するデータ選択手段と、
前記データ選択手段によって選択されたユーザデータをバックアップデータとして送信するバックアップデータ送信手段とを備えることを特徴とする移動通信端末。
【請求項６】
移動通信端末であって、
前記移動通信端末内に保存されたユーザデータの中から、前記移動通信端末の位置に基づくデータ選択条件に基づいてユーザデータを選択するデータ選択手段と、
前記データ選択手段によって選択されたユーザデータをバックアップデータとして送信するバックアップデータ送信手段とを備えることを特徴とする移動通信端末。
【請求項７】
移動通信端末であって、
複数のデータ選択条件候補の中から、任意の１つ以上を選択してデータ選択条件として設定するデータ選択条件設定手段と、
前記移動通信端末内に保存されたユーザデータの中から、前記データ選択条件設定手段によって設定されたデータ選択条件に基づいてユーザデータを定期的に選択するデータ選択手段と、
前記データ選択手段によって選択されたユーザデータをバックアップデータとして送信するバックアップデータ送信手段とを備えることを特徴とする移動通信端末。
【請求項８】
移動通信端末であって、
前記移動通信端末内に保存されたユーザデータの中から、複数のデータ選択条件に基づいてユーザデータを定期的に選択するデータ選択手段と、
前記データ選択手段によって選択されたユーザデータをバックアップデータとして送信するバックアップデータ送信手段とを備えることを特徴とする移動通信端末。
【請求項９】
移動通信端末内に保存されたユーザデータのバックアップデータを保存するバックアップ装置であって、
複数のデータ選択条件候補の中から、任意の１つ以上を選択してデータ選択条件として設定するデータ選択条件設定手段と、
前記データ選択条件設定手段によって設定されたデータ選択条件を前記移動通信端末に通知する手段とを備えることを特徴とするバックアップ装置。
【請求項１０】
前記複数のデータ選択条件候補は、前記移動通信端末のユーザによる任意のユーザデータファイルの指定に基づく条件、各ユーザデータの容量に基づく条件、各ユーザデータの種別に基づく条件、各ユーザデータの秘匿性に基づく条件、前記移動通信端末の位置に基づく条件のうち少なくともいずれかを含むことを特徴とする請求項９記載のバックアップ装置。
【請求項１１】
移動通信端末内に保存されたユーザデータのバックアップデータを保存するバックアップ装置であって、
複数のデータ選択条件を設定するデータ選択条件設定手段と、
前記データ選択条件設定手段によって設定されたデータ選択条件を前記移動通信端末に通知する手段とを備えることを特徴とするバックアップ装置。
【請求項１２】
移動通信端末内に保存されたユーザデータのバックアップデータを通信網を介して、バックアップ装置または前記バックアップ装置によって記録可能な記録媒体に保存する移動通信端末内データのバックアップシステムであって、
前記移動通信端末または前記バックアップ装置は、複数のデータ選択条件候補の中から、任意の１つ以上を選択してデータ選択条件として設定するデータ選択条件設定手段を備え、
前記移動通信端末は、前記移動通信端末内に保存されたユーザデータの中から、前記データ選択条件設定手段によって設定されたデータ選択条件を満たすユーザデータを選択するデータ選択手段と、前記データ選択手段によって選択されたユーザデータをバックアップデータとして前記バックアップ装置に送信するバックアップデータ送信手段とを備えることを特徴とする移動通信端末内データのバックアップシステム。
【請求項１３】
前記複数のデータ選択条件候補は、前記移動通信端末のユーザによる任意のユーザデータファイルの指定に基づく条件、各ユーザデータの容量に基づく条件、各ユーザデータの種別に基づく条件、各ユーザデータの秘匿性に基づく条件、前記移動通信端末の位置に基づく条件のうち少なくともいずれかを含むことを特徴とする請求項１２記載の移動通信端末内データのバックアップシステム。
【請求項１４】
移動通信端末内に保存されたユーザデータのバックアップデータを通信網を介して、バックアップ装置または前記バックアップ装置によって記録可能な記録媒体に保存する移動通信端末内データのバックアップシステムであって、
前記移動通信端末は、前記移動通信端末内に保存されたユーザデータの中から、複数のデータ選択条件に基づいてユーザデータを選択するデータ選択手段と、
前記データ選択手段によって選択されたユーザデータをバックアップデータとして前記バックアップ装置に送信するバックアップデータ送信手段とを備えることを特徴とする移動通信端末内データのバックアップシステム。
【請求項１５】
前記バックアップ装置は、前記バックアップ装置または前記バックアップ装置によって記録可能な記録媒体に保存されたバックアップデータを前記通信網を介して、前記移動通信端末とは異なる通信端末にダウンロードするダウンロード手段と、
前記通信端末の形態に合わせて前記バックアップデータの変換処理を行うメディア変換手段とを備えることを特徴とする請求項１２乃至１４いずれか記載の移動通信端末内データのバックアップシステム。
【請求項１６】
前記バックアップ装置は、前記バックアップ装置または前記バックアップ装置によって記録可能な記録媒体に保存されたバックアップデータを前記通信網を介して、前記移動通信端末とは異なる通信端末にダウンロードするダウンロード手段と、
前記ダウンロードの可否を認証する認証手段とを備えることを特徴とする請求項１２乃至１５いずれか記載の移動通信端末内データのバックアップシステム。
【請求項１７】
移動通信端末内に保存されたユーザデータのバックアップデータを通信網を介して、バックアップ装置または前記バックアップ装置によって記録可能な記録媒体に保存する移動通信端末内データのバックアップ方法であって、
前記移動通信端末または前記バックアップ装置は、複数のデータ選択条件候補の中から、任意の１つ以上を選択してデータ選択条件として設定し、
前記移動通信端末は、前記移動通信端末内に保存されたユーザデータの中から、設定されたデータ選択条件に基づいてユーザデータを選択し、選択されたユーザデータをバックアップデータとして前記バックアップ装置に送信することを特徴とする移動通信端末内データのバックアップ方法。
【請求項１８】
前記複数のデータ選択条件候補は、前記移動通信端末のユーザによる任意のユーザデータファイルの指定に基づく条件、各ユーザデータの容量に基づく条件、各ユーザデータの種別に基づく条件、各ユーザデータの秘匿性に基づく条件、前記移動通信端末の位置に基づく条件のうち少なくともいずれかを含むことを特徴とする請求項１７記載の移動通信端末内データのバックアップ方法。
【請求項１９】
移動通信端末内に保存されたユーザデータのバックアップデータを通信網を介して、バックアップ装置または前記バックアップ装置によって記録可能な記録媒体に保存する移動通信端末内データのバックアップ方法であって、
前記移動通信端末が複数のデータ選択条件に基づいてユーザデータを選択するデータ選択ステップと、
前記データ選択ステップによって選択されたユーザデータをバックアップデータとして前記バックアップ装置に送信するバックアップデータ送信ステップとを有することを特徴とする移動通信端末内データのバックアップ方法。
【請求項２０】
移動通信端末内に保存されたユーザデータのバックアップデータを送信する移動通信端末内データのバックアップデータ送信方法であって、
複数のデータ選択条件候補の中から、任意の１つ以上を選択してデータ選択条件として設定し、
前記移動通信端末内に保存されたユーザデータの中から、設定されたデータ選択条件を満たすユーザデータを選択し、
選択されたユーザデータをバックアップデータとして送信することを特徴とする移動通信端末内データのバックアップデータ送信方法。
【請求項２１】
移動通信端末内に保存されたユーザデータのバックアップデータを送信する移動通信端末内データのバックアップデータ送信方法であって、
前記移動通信端末内に保存されたユーザデータの中から、複数のデータ選択条件に基づいてユーザデータを選択し、
選択されたユーザデータをバックアップデータとして送信することを特徴とする移動通信端末内データのバックアップデータ送信方法。
【請求項２２】
移動通信端末内に保存されたユーザデータのバックアップデータを通信網を介して、バックアップ装置または前記バックアップ装置によって記録可能な記録媒体に保存する移動通信端末内データのバックアップシステムであって、
前記バックアップ装置は、前記バックアップ装置または前記バックアップ装置によって記録可能な記録媒体に保存されたバックアップデータを前記通信網を介して、前記移動通信端末とは異なる通信端末にダウンロードするダウンロード手段と、
前記ダウンロードの可否を認証する認証手段と、
前記ダウンロード手段によって前記バックアップデータをダウンロードするためのログインが可能な回数を制限する手段とを備えることを特徴とする移動通信端末内データのバックアップシステム。
【請求項２３】
移動通信端末内に保存されたユーザデータのバックアップデータを通信網を介して、バックアップ装置または前記バックアップ装置によって記録可能な記録媒体に保存する移動通信端末内データのバックアップシステムであって、
前記バックアップ装置は、前記バックアップ装置または前記バックアップ装置によって記録可能な記録媒体に保存されたバックアップデータを前記通信網を介して、前記移動通信端末とは異なる通信端末にダウンロードするダウンロード手段と、
前記ダウンロードの可否を認証する認証手段と、
前記ダウンロード手段によって前記バックアップデータをダウンロードするためのログインが可能な時間を制限する手段とを備えることを特徴とする移動通信端末内データのバックアップシステム。
【請求項２４】
移動通信端末内に保存されたユーザデータのバックアップデータを通信網を介して、バックアップ装置または前記バックアップ装置によって記録可能な記録媒体に保存する移動通信端末内データのバックアップ方法であって、
前記移動通信端末は、前記ユーザデータのバックアップデータを１つ以上のブロック情報に分割し、前記移動通信端末内に保存されたユーザデータをバックアップデータとして送信する際に、前記バックアップデータをブロック情報毎に送信することを特徴する移動通信端末内データのバックアップ方法。
【請求項２５】
前記バックアップデータをブロック情報毎に送信する際に、更新のあったブロック情報のみ送信することを特徴する請求項２４記載の移動通信端末内データのバックアップ方法。
【発明の詳細な説明】
【技術分野】
【０００１】
本発明は、移動通信端末に保存されたデータを通信網を介して選択的にバックアップするシステム及び方法並びにそれに用いられる移動通信端末及びバックアップ装置に関する。
【背景技術】
【０００２】
近年、携帯電話を初めとした移動通信端末の多機能化が急速に進展しており、パーソナルコンピュータ、デジタルビデオ、デジタルカメラその他多くの電子機器等で実現できる機能が集約されて搭載されるに至っている。それに伴い、ユーザが移動通信端末内に保存するユーザデータの種類、数は増大する一方であり、また各ユーザデータの最大容量も増大する傾向にある。さらに、移動通信端末を用いて電子マネー機能も実現できる等、秘匿性の非常に高いデータを扱う機会も増加している。
【０００３】
このように移動通信端末は多種・多量のユーザデータを保存するようになっているため、万一端末を破損、紛失するなどしてデータを失った場合の損害はより深刻化している。この問題を改善するため、移動通信端末に保存されたユーザデータのバックアップシステムが提案されている。例えば、下記特許文献１には、移動通信端末に保存されたユーザデータを通信網を介してサーバ等に自動的、定期的にバックアップするシステムについて開示されている。このシステムにより、ユーザデータのバックアップが自動的になされるため、ユーザ自らが専用のケーブル等を介して行うバックアップ作業が不用となることで、ユーザの利便性が向上している。また、定期的にバックアップされることにより、常にほぼ最新の情報をバックアップすることが可能となることでも、ユーザの利便性が向上している。
【０００４】
【特許文献１】特開２００４−１１２４７８号公報
【発明の開示】
【発明が解決しようとする課題】
【０００５】
しかしながら、従来のバックアップシステムは、バックアップ時に全てのユーザデータを送信する、すなわち、バックアップする必要のないデータまで常に送信するものである。従って、バックアップのための送信量、送信時間は極めて増大する問題があった。その結果、バックアップデータ送信中は他の用途に端末を使用できなくなることにより、ユーザ自身の利便性が損なわれる他、無線帯域が非効率に占領されることにより、システム全体として回線不足を誘発するという問題があった。また、秘匿性の高い情報等について傍受される危険性もある等、移動通信端末の様々な使用形態に対する対応がなされていないという問題もあった。
【０００６】
本発明は以上の問題を解決するためになされたものである。すなわち本発明は、移動通信端末の使用実態を鑑みて、移動通信端末に保存されたユーザデータをバックアップする際のデータ通信量を適正化し、また、ユーザによるバックアップデータの選択性を向上した移動通信端末内データのバックアップシステム及び方法並びにそれに用いられる移動通信端末及びバックアップ装置を提供することを目的とする。
【課題を解決するための手段】
【０００７】
本発明の移動通信端末は、複数のデータ選択条件候補の中から、任意の１つ以上を選択してデータ選択条件として設定するデータ選択条件設定手段と、前記移動通信端末内に保存されたユーザデータの中から、前記データ選択条件設定手段によって設定されたデータ選択条件に基づいてユーザデータを選択するデータ選択手段と、前記データ選択手段によって選択されたユーザデータをバックアップデータとして送信するバックアップデータ送信手段とを備えることを特徴とする。
【０００８】
ここで、前記複数のデータ選択条件候補は、前記移動通信端末のユーザによる任意のユーザデータファイルの指定に基づく条件、各ユーザデータの容量に基づく条件、各ユーザデータの種別に基づく条件、各ユーザデータの秘匿性に基づく条件、前記移動通信端末の位置に基づく条件のうち少なくともいずれかを含んでもよい。
【０００９】
本発明の別の移動通信端末は、前記移動通信端末内に保存されたユーザデータの中から、複数のデータ選択条件に基づいてユーザデータを選択するデータ選択手段と、前記データ選択手段によって選択されたユーザデータをバックアップデータとして送信するバックアップデータ送信手段とを備えることを特徴とする。
【００１０】
本発明のさらに別の移動通信端末は、前記移動通信端末内に保存されたユーザデータの中から、各ユーザデータの容量に基づくデータ選択条件に基づいてユーザデータを選択するデータ選択手段と、前記データ選択手段によって選択されたユーザデータをバックアップデータとして送信するバックアップデータ送信手段とを備えることを特徴とする。
【００１１】
また、本発明のさらに別の移動通信端末は、前記移動通信端末内に保存されたユーザデータの中から、各ユーザデータの秘匿性に基づくデータ選択条件に基づいてユーザデータを選択するデータ選択手段と、前記データ選択手段によって選択されたユーザデータをバックアップデータとして送信するバックアップデータ送信手段とを備えることを特徴とする。
【００１２】
また、本発明のさらに別の移動通信端末は、前記移動通信端末内に保存されたユーザデータの中から、前記移動通信端末の位置に基づくデータ選択条件に基づいてユーザデータを選択するデータ選択手段と、前記データ選択手段によって選択されたユーザデータをバックアップデータとして送信するバックアップデータ送信手段とを備えることを特徴とする。
【００１３】
また、本発明のさらに別の移動通信端末は、複数のデータ選択条件候補の中から、任意の１つ以上を選択してデータ選択条件として設定するデータ選択条件設定手段と、前記移動通信端末内に保存されたユーザデータの中から、前記データ選択条件設定手段によって設定されたデータ選択条件に基づいてユーザデータを定期的に選択するデータ選択手段と、
前記データ選択手段によって選択されたユーザデータをバックアップデータとして送信するバックアップデータ送信手段とを備えることを特徴とする。
【００１４】
また、本発明のさらに別の移動通信端末は、前記移動通信端末内に保存されたユーザデータの中から、複数のデータ選択条件に基づいてユーザデータを定期的に選択するデータ選択手段と、前記データ選択手段によって選択されたユーザデータをバックアップデータとして送信するバックアップデータ送信手段とを備えることを特徴とする。
【００１５】
本発明のバックアップ装置は、移動通信端末内に保存されたユーザデータのバックアップデータを保存するバックアップ装置であって、複数のデータ選択条件候補の中から、任意の１つ以上を選択してデータ選択条件として設定するデータ選択条件設定手段と、前記データ選択条件設定手段によって設定されたデータ選択条件を前記移動通信端末に通知する手段とを備えることを特徴とする。
【００１６】
ここで、前記複数のデータ選択条件候補は、前記移動通信端末のユーザによる任意のユーザデータファイルの指定に基づく条件、各ユーザデータの容量に基づく条件、各ユーザデータの種別に基づく条件、各ユーザデータの秘匿性に基づく条件、前記移動通信端末の位置に基づく条件のうち少なくともいずれかを含んでもよい。
【００１７】
また、本発明の別のバックアップ装置は、移動通信端末内に保存されたユーザデータのバックアップデータを保存するバックアップ装置であって、複数のデータ選択条件を設定するデータ選択条件設定手段と、前記データ選択条件設定手段によって設定されたデータ選択条件を前記移動通信端末に通知する手段とを備えることを特徴とする。
【００１８】
本発明のバックアップシステムは、移動通信端末内に保存されたユーザデータのバックアップデータを通信網を介して、バックアップ装置または前記バックアップ装置によって記録可能な記録媒体に保存する移動通信端末内データのバックアップシステムであって、前記移動通信端末または前記バックアップ装置は、複数のデータ選択条件候補の中から、任意の１つ以上を選択してデータ選択条件として設定するデータ選択条件設定手段を備え、前記移動通信端末は、前記移動通信端末内に保存されたユーザデータの中から、前記データ選択条件設定手段によって設定されたデータ選択条件を満たすユーザデータを選択するデータ選択手段と、前記データ選択手段によって選択されたユーザデータをバックアップデータとして前記バックアップ装置に送信するバックアップデータ送信手段とを備えることを特徴とする。
【００１９】
ここで、前記複数のデータ選択条件候補は、前記移動通信端末のユーザによる任意のユーザデータファイルの指定に基づく条件、各ユーザデータの容量に基づく条件、各ユーザデータの種別に基づく条件、各ユーザデータの秘匿性に基づく条件、前記移動通信端末の位置に基づく条件のうち少なくともいずれかを含んでもよい。
【００２０】
本発明の別のバックアップシステムは、移動通信端末内に保存されたユーザデータのバックアップデータを通信網を介して、バックアップ装置または前記バックアップ装置によって記録可能な記録媒体に保存する移動通信端末内データのバックアップシステムであって、前記移動通信端末は、前記移動通信端末内に保存されたユーザデータの中から、複数のデータ選択条件に基づいてユーザデータを選択するデータ選択手段と、前記データ選択手段によって選択されたユーザデータをバックアップデータとして前記バックアップ装置に送信するバックアップデータ送信手段とを備えることを特徴とする。
【００２１】
ここで、前記バックアップ装置は、前記バックアップ装置または前記バックアップ装置によって記録可能な記録媒体に保存されたバックアップデータを前記通信網を介して、前記移動通信端末とは異なる通信端末にダウンロードするダウンロード手段と、前記通信端末の形態に合わせて前記バックアップデータの変換処理を行うメディア変換手段とを備えてもよい。
【００２２】
また、前記バックアップ装置は、前記バックアップ装置または前記バックアップ装置によって記録可能な記録媒体に保存されたバックアップデータを前記通信網を介して、前記移動通信端末とは異なる通信端末にダウンロードするダウンロード手段と、前記ダウンロードの可否を認証する認証手段とを備えてもよい。
【００２３】
本発明のバックアップ方法は、移動通信端末内に保存されたユーザデータのバックアップデータを通信網を介して、バックアップ装置または前記バックアップ装置によって記録可能な記録媒体に保存する移動通信端末内データのバックアップ方法であって、前記移動通信端末または前記バックアップ装置は、複数のデータ選択条件候補の中から、任意の１つ以上を選択してデータ選択条件として設定し、前記移動通信端末は、前記移動通信端末内に保存されたユーザデータの中から、設定されたデータ選択条件に基づいてユーザデータを選択し、選択されたユーザデータをバックアップデータとして前記バックアップ装置に送信することを特徴とする。
【００２４】
ここで、前記複数のデータ選択条件候補は、前記移動通信端末のユーザによる任意のユーザデータファイルの指定に基づく条件、各ユーザデータの容量に基づく条件、各ユーザデータの種別に基づく条件、各ユーザデータの秘匿性に基づく条件、前記移動通信端末の位置に基づく条件のうち少なくともいずれかを含んでもよい。
【００２５】
本発明の別のバックアップ方法は、移動通信端末内に保存されたユーザデータのバックアップデータを通信網を介して、バックアップ装置または前記バックアップ装置によって記録可能な記録媒体に保存する移動通信端末内データのバックアップ方法であって、前記移動通信端末が複数のデータ選択条件に基づいてユーザデータを選択するデータ選択ステップと、前記データ選択ステップによって選択されたユーザデータをバックアップデータとして前記バックアップ装置に送信するバックアップデータ送信ステップとを有することを特徴とする。
【００２６】
本発明のバックアップデータ送信方法は、移動通信端末内に保存されたユーザデータのバックアップデータを送信する移動通信端末内データのバックアップデータ送信方法であって、複数のデータ選択条件候補の中から、任意の１つ以上を選択してデータ選択条件として設定し、前記移動通信端末内に保存されたユーザデータの中から、設定されたデータ選択条件を満たすユーザデータを選択し、選択されたユーザデータをバックアップデータとして送信することを特徴とする。
【００２７】
また、本発明の別のバックアップデータ送信方法は、移動通信端末内に保存されたユーザデータのバックアップデータを送信する移動通信端末内データのバックアップデータ送信方法であって、前記移動通信端末内に保存されたユーザデータの中から、複数のデータ選択条件に基づいてユーザデータを選択し、選択されたユーザデータをバックアップデータとして送信することを特徴とする。
【００２８】
また、本発明の別のバックアップシステムは、移動通信端末内に保存されたユーザデータのバックアップデータを通信網を介して、バックアップ装置または前記バックアップ装置によって記録可能な記録媒体に保存する移動通信端末内データのバックアップシステムであって、前記バックアップ装置は、前記バックアップ装置または前記バックアップ装置によって記録可能な記録媒体に保存されたバックアップデータを前記通信網を介して、前記移動通信端末とは異なる通信端末にダウンロードするダウンロード手段と、前記ダウンロードの可否を認証する認証手段と、前記ダウンロード手段によって前記バックアップデータをダウンロードするためのログインが可能な回数を制限する手段とを備えることを特徴とする。
【００２９】
また、本発明の別のバックアップシステムは、移動通信端末内に保存されたユーザデータのバックアップデータを通信網を介して、バックアップ装置または前記バックアップ装置によって記録可能な記録媒体に保存する移動通信端末内データのバックアップシステムであって、前記バックアップ装置は、前記バックアップ装置または前記バックアップ装置によって記録可能な記録媒体に保存されたバックアップデータを前記通信網を介して、前記移動通信端末とは異なる通信端末にダウンロードするダウンロード手段と、前記ダウンロードの可否を認証する認証手段と、前記ダウンロード手段によって前記バックアップデータをダウンロードするためのログインが可能な時間を制限する手段とを備えることを特徴とする。
【００３０】
また、本発明の別のバックアップ方法は、移動通信端末内に保存されたユーザデータのバックアップデータを通信網を介して、バックアップ装置または前記バックアップ装置によって記録可能な記録媒体に保存する移動通信端末内データのバックアップ方法であって、
前記移動通信端末は、前記ユーザデータのバックアップデータを１つ以上のブロック情報に分割し、前記移動通信端末内に保存されたユーザデータをバックアップデータとして送信する際に、前記バックアップデータをブロック情報毎に送信することを特徴とする。
【００３１】
ここで、前記バックアップデータをブロック情報毎に送信する際に、更新のあったブロック情報のみ送信してもよい。
【発明の効果】
【００３２】
移動通信端末からバックアップデータを送信する際に、バックアップデータとして送信するユーザデータを選択するデータ選択ステップを有することにより、従来に比べ送信データは限定されるため、バックアップ時の通信量は低減する。その結果、通信帯域が無駄に占領され回線が不足するという弊害が解消する。また、バックアップデータのアップロードまたはダウンロード時間自体が短くなるため、ユーザが端末を使用できなくなる時間が減少し、ユーザの利便性が向上する。また、バックアップデータとして送信するユーザデータを選択するための条件として用いるデータ選択条件を、複数のデータ選択条件候補の中から任意に選択することにより、よりユーザの志向に沿ったバックアップデータを選択することが可能となる。また、複数のデータ選択条件を用いてバックアップデータとして送信するユーザデータを選択することにより、よりきめ細かくユーザの志向に沿ったバックアップデータを選択することが可能となる。
【発明を実施するための最良の形態】
【００３３】
次に本発明の実施の形態について図面を参照して詳細に説明する。
【００３４】
図１に本発明の一実施の形態としての移動通信端末内データのバックアップシステムを示す。図１を参照すると、本システムは移動通信端末１０１内に保存されたユーザデータを選択的に基地局１０２及び通信網１０３を介してバックアップ装置１０４にバックアップするものである。ユーザデータとは、ユーザ等によって移動通信端末１０１内に保存されたデータであって、例えば、電話帳、住所録、発着信履歴、電子メール、スケジュール、画像、動画、音声、メロディ、電子マネー情報、電子チケット情報、顧客情報、サイトＵＲＬ情報等のデータのことである。また、ユーザによって設定された移動通信端末１０１の設定情報等も含んでもよい。バックアップ装置１０４は移動通信端末１０１内に保存されたユーザデータのバックアップデータを保存する。バックアップ装置１０４に保存されたバックアップデータは、通信網１０３及び基地局１０２を介して、移動通信端末１０１にダウンロードすることができる他、通信網１０３及び基地局１０５を介して、移動通信端末１０１と異なる移動通信端末１０６にダウンロードすることもできる。また、バックアップ装置１０４に保存されたバックアップデータは、通信網１０３を介して移動通信端末以外の他の情報機器、例えばパーソナルコンピュータ（ＰＣ）１０８、電話１０９、ファクシミリ（ＦＡＸ）１１０に送信することによって入手することもできる。電話１０９、ＦＡＸ１１０によってバックアップデータを入手する場合には、バックアップ装置１０４に保存されたバックアップデータは、それぞれ音声、ＦＡＸ信号等に変換される。音声やＦＡＸ信号への変換は、バックアップ装置１０４が行うことができる。
【００３５】
図２（ａ）は、本発明に用いられる移動通信端末１０１の構成例を示すブロック図である。図２（ａ）を参照すると、バックアップデータとして送信するユーザデータを選択するための制御が制御部２０１によって行われる。その他、制御部２０１はバックアップモードのＯＮ／ＯＦＦの判定や、メモリ２０２、送受信部２０７、表示部２０３、入力部２０４、ＧＰＳ（Ｇｌｏｂａｌ  Ｐｏｓｉｔｉｏｎｉｎｇ  Ｓｙｓｔｅｍ）信号受信部２０５、ＧＰＳ信号処理部２０６等の制御も行う。ユーザデータ、地図データ等の各種データはメモリ２０２に保存される。表示部２０３は、移動通信端末１０１で取り扱う各種情報、例えば文字、画像、地図、位置等の表示や、操作画面の表示等を行う。ユーザが入力部２０４を操作することによって、ユーザデータを選択するためのデータ選択条件の設定を行うことができる。文字、数字等の入力やその他の設定も入力部２０４を操作することによって行われる。また、ＧＰＳ信号受信部２０５によってＧＰＳ衛星からの信号を受信し、ＧＰＳ信号処理部２０６によって受信したＧＰＳ信号を処理することによって、制御部２０１は移動通信端末１０１の位置情報を取得することができる。移動通信端末１０１の位置情報は、メモリ２０２に保存される地図データ等とともに表示部２０３に表示することができる。その他、移動通信端末１０１は無線信号の送受信を行う送受信部２０７、通話のための送話部及び受話部、音声やメロディ等による報知のためのスピーカ等、通常の移動通信端末が有する機能を有する。
【００３６】
図２（ｂ）は、本発明に用いられる移動通信端末１０１の外観の一例を示す図である。図２（ｂ）を参照すると、入力部２１１は、文字、数字等を入力する入力キー２１２、表示部２１０上でのカーソルの位置を変更するカーソルキー２１３、情報の選択等に用いる決定キー２１４、情報の編集画面に移行する際等に用いる編集キー２１５等によって構成され得る。この他、通常の移動通信端末が有するキー、例えば場合によって様々な機能を有する機能キー等があってもよい。また、表示部２１０が感圧体によって構成され、表示部２１０へタッチペン等によって入力する構成をとることもできる。
【００３７】
図３は、本発明に用いられるバックアップ装置１０４の構成例を示すブロック図である。図３を参照すると、入出力部３０１は通信網１０３との入出力インターフェースとして通信網１０３からの信号を受信して内部へ取りこみ、通信網１０３へ信号を送信する機能を有する。
【００３８】
制御部３０２は、通信網１０３を介して移動通信端末１０１へバックアップするデータの送信を要求する機能、データ選択条件を移動通信端末１０１に通知する機能、バックアップ装置１０４各部の動作を全体として制御する機能、予め登録された移動通信端末１０１の電話番号や暗証番号による認証を行う機能、移動通信端末１０１または他の移動通信端末１０６、その他ＰＣ１０８、電話１０９、ＦＡＸ１１０等からバックアップデータのダウンロードを要求されたときに、バックアップデータ保存部３０４から必要なバックアップデータを取り出してダウンロードする機能等を有する。また、入力部３０５を操作することによって、移動通信端末１０１がバックアップデータとして送信するユーザデータを選択するためのデータ選択条件の設定を行うことができる。なお、データ選択条件の設定は移動通信端末１０１及びバックアップ装置１０４のいずれもが有する形態とすることも可能であるし、両者のいずれかが有する形態としてもよい。
【００３９】
バックアップデータ保存部３０４は、移動通信端末１０１から取得したユーザデータのバックアップデータを保存する機能を有する。なお、バックアップデータ保存部３０４の構成例としては、バックアップ装置１０４内に組み込まれたハードディスク等の記録媒体とすることできるが、バックアップ装置１０４によってバックアップデータを記録できる機能を有するならばこの形態に限るものではない。例えば、バックアップ装置１０４によってバックアップデータをＣＤ（Ｃｏｍｐａｃｔ  Ｄｉｓｃ）やデータカード等、バックアップ装置１０４の外部に取り出し可能な記録媒体に保存してもよい。
【００４０】
メディア変換部３０３は、バックアップデータ保存部３０４に保存されたバックアップデータをダウンロードするために取り出す際に、ダウンロードする端末のメディアの形態に合わせて変換処理を行う機能を有する。例えば、電話１０９へデータを送信するときは、例えばテキストデータを音声データ電話で再生可能な音声データに変換し、ＦＡＸ１１０へデータを送信するときは、例えばテキストデータ、音声データ、あるいは画像データをＦＡＸ信号に変換し、ＰＣへデータ送信するときには、例えばテキストデータ、音声データ、画像データあるいは動画データをＰＣで表示、再生可能な形態に変換する機能を有する。メディア変換機能については、例えば特開２０００−３４１４２５号公報に記載されている。
【００４１】
次に、本発明の実施の形態の動作について図面を参照して詳細に説明する。
【００４２】
図４は本発明の一実施の形態としての移動通信端末内データのバックアップシステムの動作を示すフローチャートである。図４を参照すると、まず、バックアップモードであるか否か、すなわちバックアップモードのＯＮ／ＯＦＦの判定を行う（Ｓ４０１）。バックアップモードである（ＯＮ）と判定されたときは、データ選択ステップ（Ｓ４０２）に進み、バックアップモードでない（ＯＦＦ）と判定されたときは、バックアップに係る動作を終了する。バックアップモードのＯＮ／ＯＦＦの切り換えは、ユーザが移動通信端末１０１の入力部２０４を操作することによって、いつでも任意に行うことができる。バックアップモードの判定は、移動通信端末１０１の制御部２０１が行う。また、バックアップ装置１０４の制御部３０２が行って、移動通信端末１０１に通知してもよい。データ選択ステップ（Ｓ４０２）は、図６（ａ）のフローチャートに示すデータ選択条件選択工程によって予め設定されたデータ選択条件に基づいて、バックアップデータとして移動通信端末１０１から送信するデータを全ユーザデータの中から選択する工程である。データ選択条件選択工程はユーザの意思に基づいて行われる工程である。一方、送信するデータを選択するのは、移動通信端末１０１の制御部２０１の制御の下で行うことができる。
【００４３】
以上の動作により、全ユーザデータのうち、バックアップすべきデータとして選択されたデータのみが送信される。それにより、全てのユーザデータがバックアップされる場合と比べて、送信されるバックアップデータの総量が制限される。その結果データ通信量が適正化されるという効果を奏する。また、ユーザの意思等が反映されていることから、ユーザによる送信データの選択性が向上する。その結果、送信したくない例えば秘匿性の高いデータの送信をユーザ自らの意思によって部分的に行わないことが可能となるという効果を奏する。
【００４４】
次に、図６（ａ）、（ｂ）を参照して、図４中のデータ選択ステップ（Ｓ４０２）において送信すべきバックアップデータの選択に用いるデータ選択条件を設定する動作について説明する。
【００４５】
図６（ａ）に示すデータ選択条件の設定は、ユーザの意思に基づき、いつでも行うことが可能である。まず、データ選択条件候補名表示ステップ（Ｓ６０１）で、データ選択条件候補名を表示させる。データ選択条件候補名は移動通信端末１０１の入力キー２０４の操作によって表示部２０３に表示される。図６（ｂ）は、表示部２０３に表示されるデータ選択条件候補名リストの一例である。図６（ｂ）に示すように、データ選択条件候補名６０３としては、例えば任意選択、データ容量、データ種別、秘匿性、位置情報等が挙げられる。各々の詳細については後述する。
【００４６】
次にデータ選択条件選択ステップ（Ｓ６０２）で、データ選択条件候補名リスト６０３からデータ選択条件を選択する。選択は移動通信端末１０１をユーザが操作することによって行うことができる。図６（ｂ）に示すように、選択は各項目に付加されたチェックボックス６０５にチェックすることによって行うことができる。ここで、チェックボックス６０５へのチェックは、カーソル６０４の位置をカーソルキー２１３を操作することによって、所望の項目に合わせた上で、決定キー２１４を押下することによって行うことができる。その状態で再度決定キー２１４を押下すればチェックを外すこともできる。また、条件どうしの結合条件６０６を指定することもできる。例えば、「ａｎｄ」をチェックすれば、チェックされた全ての条件を満たす論理積条件でデータが選択され、「ｏｒ」をチェックすれば、チェックされた全ての条件のいずれかを満たす論理和条件でデータが選択されることになる。また、「ｆｒｅｅ」をチェックすれば、別途設定可能な任意の結合条件でデータが選択されることになる。この場合の結合条件は、カーソルを「ｆｒｅｅ」の位置に合わせて編集キー２１５を押下することによって表示される編集画面において、ユーザ自らが任意に設定することができる。例えば（１ｏｒ２）ａｎｄ（３ｏｒ４）という論理式で表記することができ、この場合は、条件１または条件２を満たし、かつ条件３または条件４を満たすような条件という意味となる。ここで、１〜４の数字はデータ選択条件候補名リスト６０３の項目番号である。以上の設定が終了したら、完了表示部６０７にカーソルを合わせて決定キー２１４を押下して設定を完了する。
【００４７】
次に、各データ選択条件について詳細に説明する。
【００４８】
図７は、任意選択条件の設定画面を示す図である。この画面へは、図６（ｂ）においてカーソル６０４を「１．任意選択」に合わせて、編集キー２１５を押下することによって移行することができる。任意選択とはユーザが任意のフォルダやファイルを選択指定することである。フォルダを選択した場合はそのフォルダに含まれるファイル全てが選択されたことになる。ここで選択されたユーザデータが、そのまま図４のデータ選択ステップ（Ｓ４０２）において選択されるバックアップデータとなる。これにより、ユーザの送信したいデータのみをバックアップデータとして選択することが可能となる。設定が終了したら、完了表示部７０４にカーソルを合わせて決定キー２１４を押下して設定を完了する。これらの画面上の操作法については、以下の説明では共通なので省略する。
【００４９】
図８は、データ容量条件の設定画面を示す図である。本設定では、バックアップデータとして送信したいユーザデータの１ファイル当たりの最大容量を設定する。例えば図８に示すように、５メガバイト（ＭＢ）以下、１ＭＢ以下、・・・という具合である。任意設定を選択することで、別途ユーザが任意に設定できる最大容量を指定することも可能である。なお、「動画サイズ」、「静止画サイズ」等の表記はファイル最大容量の一応の目安の説明のためのものであり、ファイルの種類を選択する趣旨ではない。ここで選択した最大データ容量以下のファイルが、図４のデータ選択ステップ（Ｓ４０２）において移動通信端末１０１の制御部２０１の制御動作によって選択される。これにより、１ファイル当たりのデータ容量がユーザの指定した最大容量を越えるユーザデータはバックアップデータとして送信されなくなり、送信されるバックアップデータの総量が制限される。その結果データ通信量が適正化されるという効果を奏する。
【００５０】
図９は、データ種別条件の設定画面を示す図である。本設定では、バックアップデータとして送信したいユーザデータの種別を設定する。例えば図８に示すように、動画、静止画、テキスト文書、・・・という具合である。選択するデータ種別は１種類でもよいし、図に示すように複数種類でも構わない。ここで選択したデータ種別、例えば電話帳とＥメールを選択した場合は、電話帳ファイルとＥメールファイルが、図４のデータ選択ステップ（Ｓ４０２）においてバックアップデータとして移動通信端末１０１の制御部２０１によって選択される。選択のための判別手段として、例えばファイルの拡張子を用いることができる。これにより、ユーザの指定したデータ種別以外のユーザデータはバックアップデータとして送信されなくなり、送信されるバックアップデータの総量が制限される。その結果データ通信量が適正化される。またユーザによるバックアップデータの選択性が向上する。
【００５１】
図１０（ａ）は、秘匿性条件の設定画面を示す図である。本設定では、バックアップデータとして送信したいデータの秘匿性のレベルを設定する。ここで、秘匿性のレベルとして、例えばその秘匿性の高い情報から順にレベル３、２、１に振り分けることができる。例えば、図１０（ｂ）に示すようにレベル３に電子マネー情報、レベル２に電話帳、レベル１にサイトＵＲＬ（Ｕｎｉｆｏｒｍ  Ｒｅｓｏｕｒｃｅ  Ｌｏｃａｔｏｒ）情報という具合である。この振り分けは移動通信端末１０１が、予め設定された条件に基づいて自動的に行ってもよいし、ユーザが設定してもよい。ここで選択設定されたレベル以下の秘匿性を有するデータが、図４のデータ選択ステップ（Ｓ４０２）において移動通信端末１０１の制御部２０１によって選択される。これにより、ユーザの指定したデータ種別以外のユーザデータはバックアップデータとして送信されなくなり、送信されるバックアップデータの総量が制限される。その結果データ通信量が適正化されるという効果を奏するとともに、傍受の恐れのある秘匿性の高いデータをユーザの意思に基づいて個別的あるいは部分的に送信しないことが可能となる。
【００５２】
図１１（ａ）、（ｂ）は、位置情報条件の設定画面を示す図である。本設定では、移動通信端末１０１の位置に応じて、バックアップデータとして送信する、あるいは送信しないユーザデータを設定する。ユーザによっては、例えば自宅ではほとんど画像データを更新しないという場合もある。また、無線ＬＡＮ（Ｌｏｃａｌ  Ａｒｅａ  Ｎｅｔｗｏｒｋ）エリアに入ったら無線ＬＡＮによる通信に切り換えて使用できるような端末を使用している場合、無線ＬＡＮエリアでは、より多量のデータやより秘匿性の高いデータをバックアップデータとして送信したいという場合もあり得るので、それらの要求に応えるものである。設定方法としては、まず図１１（ａ）において、位置条件を設定する。次に図１１（ｂ）において、設定した位置条件の範囲内に移動通信端末１０１が入った場合における、バックアップ用送信データの選択条件を設定する。ここでの設定方法は、図６（ｂ）で説明したのとほぼ同じであるが、送信する／しない設定部１１０５で、送信「しない」を選択することによって、送信しないデータとして選択設定することも可能である。移動通信端末１０１の位置は移動通信端末１０１が備えるＧＰＳ機能を用いることで測定され得る。また、無線ＬＡＮエリアに入ったことをアクセスポイントからの信号を検知することによって認識してもよい。ここで設定した位置情報条件に基づき、図４のデータ選択ステップ（Ｓ４０２）において、移動通信端末１０１の位置に応じたバックアップ用送信データが移動通信端末１０１の制御部２０１によって選択される。これにより、ユーザの意思に基づき、位置情報をも加味したバックアップ用送信データの個別的な選択が可能となる。
【００５３】
以上、図４を用いて本発明の動作を説明したが、本発明の移動通信端末内データのバックアップシステムはこれに限定されるものではない。例えば、図５に示すように、図４に加えて、送信タイミングか否かを判定するステップ（Ｓ５０２）、更新データ選択ステップ（Ｓ５０４）、バックアップモード更新ステップ（Ｓ５０６）があるような構成をとることもできる。送信タイミングか否かを判定するステップ（Ｓ５０２）により、移動通信端末１０１は、予め設定した送信時刻やある一定時間間隔以外は送信タイミングでないとしてバックアップデータを送信しないようにできる。逆に言えば、移動通信１０１は、バックアップデータをデータ選択ステップ（Ｓ５０３）によって選択し、選択したバックアップデータを送信するステップを、指定した送信時刻に行うこともできるし、定期的に繰り返し行うこともできる。送信タイミングか否かを判定するステップ（Ｓ５０２）は、移動通信端末１０１が行ってもよいし、バックアップ装置１０４が行って移動通信端末１０１に通知してもよい。
【００５４】
更新データ選択ステップ（Ｓ５０４）は、データ選択ステップ（Ｓ５０３）で選択されたユーザデータの中から、一回前のデータ選択ステップの際に選択されたユーザデータと比べてデータに追加や変更等の更新があったデータのみをバックアップデータとして抽出するものである。これにより、更新されていないデータまで送信するという無駄をなくすことが可能となる。
【００５５】
バックアップモード更新ステップ（Ｓ５０６）は、予め設定された条件に基づいて、バックアップモードを解除または継続するステップである。例えばバックアップを一回だけ行う設定であれば、ここで、バックアップモードは解除される。その結果、バックアップモードであるか否かの判定（Ｓ５０１）で否と判定されてバックアップを終了する。また、バックアップを定期的に行うような設定であれば、別途定める停止条件を満たすまで、バックアップモードの継続が維持される。停止条件は、ユーザが移動通信端末１０１を操作することによって設定可能である。これによって、バックアップモードがＯＮとしておくことにより、ユーザがうっかりバックアップすることを忘れても、指定時間にあるいは定期的に、自動的にバックアップすることが可能となる。
【００５６】
図１２は、図１のバックアップシステムをより具体的な構成としたものであり、携帯電話の世界標準として３ＧＰＰ（３ｒｄ  Ｇｅｎｅｒａｔｉｏｎ  Ｐａｒｔｎｅｒｓｈｉｐ  Ｐｒｏｊｅｃｔ）が定めているＷ−ＣＤＭＡシステムに適用した場合の一例を示す。移動通信端末であるＵＥ（Ｕｓｅｒ  Ｅｑｕｉｐｍｅｎｔ）１２０１内に保存されたユーザデータは、基地局と基地局制御装置であるＲＡＮ（Ｒａｄｉｏ  Ａｃｃｅｓｓ  Ｎｅｔｗｏｒｋ）１２０２及び通信網であるＣＮ（Ｃｏｒｅ  Ｎｅｔｗｏｒｋ）１２０３を介してバックアップ装置１２０４にバックアップされる。また、バックアップ装置１２０４にバックアップされたデータは、ＣＮ１２０３及びＲＡＮ１２０２あるいはＲＡＮ１２０５を介して、ＵＥ１２０１あるいは他のＵＥ１２０６にダウンロード可能である。また、ＣＮ１２０３及び、ＰＳＴＮ網（Ｐｕｂｌｉｃ  Ｓｗｉｔｃｈｅｄ  Ｔｅｌｅｐｈｏｎｅ  Ｎｅｔｗｏｒｋ：公衆電話網）あるいはＩＳＤＮ網（Ｉｎｔｅｇｒａｔｅｄ  Ｓｅｒｖｉｃｅ  Ｄｉｇｉｔａｌ  Ｎｅｔｗｏｒｋ：統合デジタル通信網）を介してＰＣ、電話、ＦＡＸ等から入手することが可能である。
【００５７】
次に、図１３を用いて、図１２で説明したバックアップシステムの動作について説明する。図１３において、バックアップ装置１２０４からＣＮ１２０３へＵＥ１２０１内データのアップロードを要求後（Ｓ１３０１）、ＣＮ１２０３とバックアップ処理装置１２０４間のリソース補足とパス設定が行われる（Ｓ１３０２）。その後ＣＮ１２０３からＵＥ１２０１に向けてＰａｇｉｎｇメッセージが送信され（Ｓ１３０３）、ＵＥ１２０１とＲＡＮ１２０２間で無線リンクの確立とＲＲＣ（Ｒａｄｉｏ  Ｒｅｓｏｕｒｃｅ  Ｃｏｎｔｒｏｌ）プロトコルの設定が行われた後（Ｓ１３０４）、ＵＥ１２０１とＣＮ１２０３間でＰＳの無線アクセスベアラの確立を行い（Ｓ１３０５）、ＣＮ１２０３はバックアップ装置１２０４へＵＥ１２０１内データの送信準備が完了したことを通知する（Ｓ１３０６）。その後、バックアップ装置１２０４からＵＥ１２０１へデータ選択条件を指定し（Ｓ１３０７）、指定されたデータ選択条件に基づいてＵＥ１２０１が選択したバックアップデータをバックアップ装置１２０４へ送信する（Ｓ１３０８）。送信されたバックアップデータが全て受信完了後、ＣＮ１２０３とバックアップ装置１２０４間の接続パスとリソースを解放し（Ｓ１３０９）、ＵＥ１２０１とＣＮ１２０３間のＰＳ呼の解放・終話を行う（Ｓ１３１０）。本動作は、バックアップ装置１２０４からの要求に従い定期的に実施することができる。
【００５８】
次に、他のＵＥ１２０６がバックアップ装置１２０４からバックアップデータをダウンロードする動作を図１４のシーケンスを使用して説明する。
【００５９】
図１４において、ＵＥ１２０１とは別のＵＥ１２０６からの要求により対ＲＡＮ間で無線リンクの確立とＲＲＣプロトコルの設定が行われた後（Ｓ１４０１）、対ＣＮ１２０３間でＰＳの無線アクセスベアラの確立を行う（Ｓ１４０２）。ＣＮ１２０３はバックアップ装置１２０４間のリソース補足とパス設定を行い（Ｓ１４０３）、ＵＥ１２０６へパス設定が完了したことを通知する（Ｓ１４０４）。ＵＥ１２０６は取得したいデータのＵＥ１２０１の電話番号とパスワードをバックアップ装置１２０４へ送信し（Ｓ１４０５）、バックアップ装置１２０４は予め登録されたＵＥ１２０１の電話番号とパスワード等の認証情報と比較して認証し（Ｓ１４０６）、準備完了通知を送信する（Ｓ１４０７）。なお、ＵＥ１２０１の電話番号とパスワード等の認証情報は、制御部３０２にて認証する毎にＣＮ１２０３内で加入者情報を管理するＨＬＲ（Ｈｏｍｅ  Ｌｏｃａｔｉｏｎ  Ｒｅｇｉｓｔｅｒ）へ問い合わせることによって入手してもよい。その後、ＵＥ１２０６は転送してほしいデータを指定して（Ｓ１４０８）、バックアップ装置１２０４から指定したデータを受信する（Ｓ１４０９）。ＵＥ１２０６はデータのダウンロード終了後、ＰＳ呼の解放・終話を行い（Ｓ１４１０）、ＣＮ１２０３とバックアップ装置１２０４間の接続パスとリソースの開放を実施する（Ｓ１４１１）。
【００６０】
次に、電話１２０９／ＦＡＸ１２１０やＰＣ１２０８がバックアップ装置１２０４からバックアップデータをダウンロードする動作を図１５のシーケンスを使用して説明する。
【００６１】
図１５において、電話１２０９／ＦＡＸ１２１０やＰＣ１２０８からの要求により対ＰＳＴＮ／ＩＳＤＮ１２０７間のリソース補足とパス設定と呼の確立後（Ｓ１５０１）、ＣＮ１２０３とＰＳＴＮ／ＩＳＤＮ１２０７間のリソース補足やパス設定（Ｓ１５０２）とＣＮ１２０３とバックアップ装置１２０４間のリソース補足とパス設定を実施後（Ｓ１５０３）、ＣＮ１２０３から電話１２０９／ＦＡＸ１２１０やＰＣ１２０８へパス設定完了を通知する（Ｓ１５０４）。電話１２０９／ＦＡＸ１２１０やＰＣ１２０８は取得したいデータのＵＥ１２０１の電話番号とパスワードをバックアップ装置１２０４へ送信し（Ｓ１５０５）、バックアップ装置１２０４は予め登録されたＵＥ１２０１の電話番号とパスワード等の認証情報と比較して認証し（Ｓ１５０６）、準備完了通知を送信する（Ｓ１５０７）。なお、ＵＥ１２０１の電話番号とパスワード等の認証情報は、制御部３０２にて認証する毎にＣＮ１２０３内で加入者情報を管理するＨＬＲへ問い合わせることによって入手してもよい。その後、電話１２０９／ＦＡＸ１２１０やＰＣ１２０８は転送してほしいデータを指定する（Ｓ１５０８）。バックアップ装置１２０４は電話１２０９／ＦＡＸ１２１０やＰＣ１２０８のメディア形態に合わせてメディア変換処理を行い（Ｓ１５０９）、指定されたデータを送信する（Ｓ１５１０）。その後、ＰＳＴＮ／ＩＳＤＮ１２０７間の接続パスとリソース解放を行い（Ｓ１５１１）、ＣＮ１２０３と、ＰＳＴＮ／ＩＳＤＮ１２０７間の接続パスとリソースを解放し（Ｓ１５１２）、ＣＮ１２０３とバックアップ装置１２０４間の接続パスとリソースを解放する（Ｓ１５１３）。
【００６２】
上記の、他のＵＥ１２０６にダウンロードする場合、あるいは電話１２０９／ＦＡＸ１２１０やＰＣ１２０８にダウロードする場合のバックアップ装置１２０４におけるパスワードによる認証において、ダウンロードする者のログイン可能な回数を制限したり、ログイン操作が可能な時間を制限することも可能である。これらは第三者から個人情報を保護するための機能である。例えば、ログイン可能な回数を２回と設定しておくことで、当該パスワードによるログイン可能回数は２回に制限され、それ以上のログインは不可能となる。したがって、仮に第三者にパスワードを解読されるようなことがあった場合でも、ログインされる回数は２回以下であり、被害の拡大を抑えることが可能となる。また、ログイン操作が可能な時間を例えば１０分と設定することで、その設定した時点から１０分までしか、ログイン操作自体行うことができないようにすることが可能である。この機能は、例えばユーザがＰＣにすぐにバックアップデータをダウンロードしたい時等に使用することができるものであり、ユーザ自身がバックアップしたいタイミング以外にはダウンロードする機会を与えないことで個人情報を保護できるといった効果がある。なお、ユーザ自身が使用のＵＥ１２０１からは、例えば当該端末固有のＩＤコードを送信し、バックアップ装置１２０４にＵＥ１２０１からの操作であることを認識させることによって、上記設定に関わりなく設定、設定変更及び設定解除をすることが可能である。以上の機能の他に、ダウンロードしようとする者が、所定の回数を超えて誤ったパスワード入力したり、ログイン画面において所定の制限時間を超えて正しいパスワードを入力できなかった場合には、接続を切断する機能をバックアップ装置１２０４が有してもよい。この場合、接続を切断した上で、その後ダウンロード自体できないようにする機能を有してもよい。ＵＥ１２０１のユーザデータの秘匿性を担保するためである。以上のような制御はバックアップ装置１２０４の制御部が行うことができる。また、以上のような所定の回数、所定の時間及びその後の動作等の設定は、予めバックアップ装置１２０４を操作することによって行うことができるし、ユーザがＵＥ１２０１を用いてバックアップ装置１２０４に対して行うこともできる。
【００６３】
ＵＥ１２０１がバックアップデータをバックアップ装置１２０４に送信する方法として、通常は更新のあったファイルについてファイル毎に送信する。しかし、より秘匿性を確保したい場合は、ファイルをメモリアドレス上の特定の範囲のブロック毎に区切り、ブロック毎に世代番号を管理し、１つのファイルの中で、一回前のバックアップデータ送信時と比べて更新のあったブロック情報のみブロックアドレス等とともに送信することも可能である。この場合、送信されるバックアップデータはファイルの一部のブロックの範囲のみであるため、ファイルの情報量が少なくなる上、傍受者が全体としての情報を認識できないことからデータの秘匿性の確保に効果を奏する。
【００６４】
図１６にさらに別のバックアップシステムの構成例を示す。図１２との違いは、ＣＮ１６０３の構成要素であるＨＬＲやＳＧＳＮ（Ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）又はＧＧＳＮ（Ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）１６０４の一部にバックアップ機能部１６１１があることである。バックアップ機能部１６１１は、バックアップ装置１２０４と同等の機能を実現することができる手段を有している。特にＨＬＲ１６０４内にバックアップ機能部１６１１を持たせることで、加入者の電話番号や暗証番号等の情報を一元管理することが可能となり、システム構成上の利便性が向上する。
【００６５】
図１７にさらに他のバックアップシステムの構成例を示す。図１７に示すように、本発明はアクセスポイント１７０２、１７０５を介したＬＡＮ網１７０３に適用することも可能である。
【産業上の利用可能性】
【００６６】
本発明によれば、移動通信端末内データのバックアップする際の通信量を低減することが可能となる。この結果、通信網における回線不足等の問題を解消できるという効果を奏する。
【００６７】
また、バックアップデータの送信時間が短くなるため、移動通信端末が使用できない時間が減少する。また、秘匿性の高いデータは送信しない等、ユーザが任意に送信条件を設定できるため、ユーザの選択性が向上する。これらの結果、ユーザの利便性が向上するという効果を奏する。
【図面の簡単な説明】
【００６８】
【図１】本発明の一実施の形態に係る移動通信端末内データのバックアップシステムを説明するためのネットワーク構成図である。
【図２】本発明の一実施の形態に係る移動通信端末の構成を示すブロック図（ａ）及び外観図（ｂ）である。
【図３】本発明の一実施の形態に係る移動通信端末内データのバックアップシステムに用いられるバックアップ装置の構成を示すブロック図である。
【図４】本発明の一実施の形態としての移動通信端末内データのバックアップシステムの動作を説明するフローチャートである。
【図５】本発明の別の実施の形態としての移動通信端末内データのバックアップシステムの動作を説明するフローチャートである。
【図６】本発明の一実施例としてのデータ選択条件を設定する動作について説明するためのフローチャート（ａ）及び表示部の表示例（ｂ）である。
【図７】本発明の別の実施例としてのデータ選択条件を設定する動作について説明するための表示部の表示である。
【図８】本発明のさらに別の実施例としてのデータ選択条件を設定する動作について説明するための表示部の表示である。
【図９】本発明のさらに別の実施例としてのデータ選択条件を設定する動作について説明するための表示部の表示である。
【図１０】本発明のさらに別の実施例としてのデータ選択条件を設定する動作について説明するための表示部の表示（ａ）及び（ｂ）である。
【図１１】本発明のさらに別の実施例としてのデータ選択条件を設定する動作について説明するための表示部の表示（ａ）及び（ｂ）である。
【図１２】本発明の一実施例として移動通信端末内データのバックアップシステムを説明するためのネットワーク構成図である。
【図１３】本発明の一実施例としての移動通信端末内データのバックアップシステムの動作を説明するフローチャートである。
【図１４】本発明の別の実施例としての移動通信端末内データのバックアップシステムの動作を説明するフローチャートである。
【図１５】本発明のさらに別の実施例としての移動通信端末内データのバックアップシステムの動作を説明するフローチャートである。
【図１６】本発明の別の実施例としての移動通信端末内データのバックアップシステムを説明するためのネットワーク構成図である。
【図１７】本発明のさらに別の実施例としての移動通信端末内データのバックアップシステムを説明するためのネットワーク構成図である。
【符号の説明】
【００６９】
１０１、１０６  移動通信端末
１０２、１０５  基地局
１０３  通信網  
１０４  バックアップ装置
２０１  制御部
２０２  メモリ
２０３、２１０  表示部
２０４、２１１  入力部
３０２  制御部
３０４  バックアップデータ保存部
【図１】
2006133955.tif 000003
【図２】
2006133955.tif 000004
【図３】
2006133955.tif 000005
【図４】
2006133955.tif 000006
【図５】
2006133955.tif 000007
【図６】
2006133955.tif 000008
【図７】
2006133955.tif 000009
【図８】
2006133955.tif 000010
【図９】
2006133955.tif 000011
【図１０】
2006133955.tif 000012
【図１１】
2006133955.tif 000013
【図１２】
2006133955.tif 000014
【図１３】
2006133955.tif 000015
【図１４】
2006133955.tif 000016
【図１５】
2006133955.tif 000017
【図１６】
2006133955.tif 000018
【図１７】
2006133955.tif 000019